(57)【特許請求の範囲】
【請求項１】
フェムト基地局のネットワーク退出方法であって、
前記フェムト基地局がアクセスゲートウェイと登録抹消手順を実行するステップと、
セキュリティゲートウェイと認証サーバとにより前記フェムト基地局を認証取消するステップと、
前記フェムト基地局と前記セキュリティゲートウェイとの間のトンネルを取り壊すステップとを有する方法。
【請求項２】
前記フェムト基地局がアクセスゲートウェイと登録抹消手順を実行するステップは、
前記フェムト基地局が前記アクセスゲートウェイに登録抹消要求メッセージを送信し、前記アクセスゲートウェイにより送信された登録抹消応答メッセージを受信するステップ、または
前記フェムト基地局が前記アクセスゲートウェイにより送信された登録抹消要求メッセージを受信し、登録抹消応答メッセージを前記アクセスゲートウェイに送信するステップを有する、請求項１に記載の方法。
【請求項３】
前記セキュリティゲートウェイと認証サーバとにより前記フェムト基地局を認証取り消しする前に、
前記フェムト基地局のエアインタフェースをディスエーブルするインディケーションメッセージを管理エンティティに送信するステップをさらに有し、前記インディケーションメッセージは、前記管理エンティティが前記インディケーションメッセージを受信した後、前記管理エンティティが前記フェムト基地局により用いられる無線スペクトルリソースを引き上げるのに用いられる、
請求項１又は２に記載の方法。
【請求項４】
前記セキュリティゲートウェイと前記認証サーバとにより前記フェムト基地局を認証取消するステップは、
前記登録抹消応答メッセージが登録抹消の受け入れの表示を担う時、前記セキュリティゲートウェイと前記認証サーバとが前記フェムト基地局を認証取消するように、前記フェムト基地局が前記セキュリティゲートウェイに対して認証取消手順を開始するステップ、または
前記フェムト基地局により送信された前記登録抹消要求メッセージが無線アクセスサービスの終了又は電力遮断である登録抹消理由を担い、前記アクセスゲートウェイにより送信された前記登録抹消応答メッセージが登録抹消を受け入れる表示を担うとき、前記セキュリティゲートウェイと前記認証サーバとが前記フェムト基地局を認証取消するように、前記アクセスゲートウェイが、前記セキュリティゲートウェイに対して認証取消手順を開始するステップ、または
前記フェムト基地局により送信された前記登録抹消要求メッセージが無線アクセスサービスの終了又は電力遮断である登録抹消状態を担い、登録抹消を受け入れる表示を担うとき、前記セキュリティゲートウェイと前記認証サーバとが前記フェムト基地局を認証取消するように、前記アクセスゲートウェイが、前記セキュリティゲートウェイに対して認証取消手順を開始するステップを有する、
請求項２に記載の方法。
【請求項５】
前記アクセスゲートウェイにより送信された前記登録抹消要求メッセージが、近隣基地局の第１の識別子、又は／及びカレントアクセスゲートウェイ以外のアクセスゲートウェイの第２の識別子を担うとき、
フェムト基地局は、それがサービスしている端末に、第１の識別子に対応する近隣基地局にハンドオーバーするように命令する、又は／及び前記第２の識別子に対応する他のアクセスゲートウェイに登録する、
請求項２に記載の方法。
【請求項６】
フェムト基地局であって、
アクセスゲートウェイと登録抹消手順を実行するように構成された第１の登録抹消モジュールと、
セキュリティゲートウェイと認証サーバとにより前記フェムト基地局を認証取消するように構成された第１の認証取消モジュールと、
前記フェムト基地局と、前記第１の認証取消モジュールの前記セキュリティゲートウェイとの間のトンネルを取り壊すように構成されたトンネル取壊モジュールとを有するフェムト基地局。
【請求項７】
前記第１の登録抹消モジュールは、
前記アクセスゲートウェイに登録抹消要求メッセージを送信し、前記アクセスゲートウェイにより送信された登録抹消応答メッセージを受信するように構成された第１の登録抹消ユニット、または
前記アクセスゲートウェイにより送信された登録抹消要求メッセージを受信し、前記アクセスゲートウェイに登録抹消応答メッセージを送信するように構成された第２の登録抹消ユニットを有する、
請求項６に記載のフェムト基地局。
【請求項８】
前記セキュリティゲートウェイと認証サーバとにより前記フェムト基地局を認証取り消しする前に、前記フェムト基地局のエアインタフェースをディスエーブルするインディケーションメッセージを管理エンティティに送信する第１のエアインタフェースディスエーブリングモジュールをさらに有し、前記インディケーションメッセージは、前記管理エンティティが前記インディケーションメッセージを受信した後、前記管理エンティティが前記フェムト基地局により用いられる無線スペクトルリソースを引き上げるのに用いられる、
請求項６又は７に記載のフェムト基地局。
【請求項９】
前記第１の認証取消モジュールは、前記登録抹消応答メッセージが登録抹消の受け入れの表示を担う時、前記セキュリティゲートウェイと前記認証サーバとが前記フェムト基地局を認証取消するように、前記フェムト基地局が前記セキュリティゲートウェイに対して認証取消手順を開始するように構成された第１の認証取消モジュールを有する、
請求項７に記載のフェムト基地局。
【請求項１０】
前記登録抹消応答メッセージが近隣基地局の第１の識別子又は／及び前記アクセスゲートウェイ以外のアクセスゲートウェイの第２の識別子を担うとき、前記フェムト基地局自体によりサービスされている端末に前記第１の識別子に対応する前記近隣基地局にハンドオーバーするよう、又は／及び前記フェムト基地局に前記第２の識別子に対応する他のアクセスゲートウェイに登録するよう命令するように構成されたアクセスハンドオーバーモジュールをさらに有する、
請求項７に記載のフェムト基地局。
【請求項１１】
アクセスゲートウェイであって、
フェムト基地局と登録抹消手順を実行するように構成された第２の登録抹消モジュールと、
セキュリティゲートウェイと認証サーバとにより、前記第２の登録抹消モジュール中の前記フェムト基地局を認証取消するように構成された第２の認証取消モジュールと
を有するアクセスゲートウェイ。
【請求項１２】
前記第２の登録抹消モジュールは、
前記フェムト基地局からの登録抹消要求メッセージを受信し、前記フェムト基地局に登録抹消応答メッセージを送信するように構成された第３の登録抹消ユニットと、
前記フェムト基地局に登録抹消要求メッセージを送信し、前記フェムト基地局からの登録抹消応答メッセージを受信するように構成された第４の登録抹消ユニットとを有する、
請求項１１に記載のアクセスゲートウェイ。
【請求項１３】
前記セキュリティゲートウェイと認証サーバとにより前記フェムト基地局を認証取り消しする前に、前記フェムト基地局のエアインタフェースをディスエーブルするインディケーションメッセージを管理エンティティに送信する第２のエアインタフェースディスエーブリングモジュールをさらに有し、前記インディケーションメッセージは、前記管理エンティティが前記インディケーションメッセージを受信した後、前記管理エンティティが前記フェムト基地局により用いられる無線スペクトルリソースを引き上げるのに用いられる、
請求項１１又は１２に記載のアクセスゲートウェイ。
【請求項１４】
前記第２の認証取消モジュールは、
前記登録抹消要求メッセージが無線アクセスサービスの終了又は電力遮断である登録抹消理由を担い、かつ前記第３の登録抹消ユニットの前記登録抹消応答メッセージが登録抹消の受け入れの表示を担うとき、前記セキュリティゲートウェイと前記認証サーバとが前記フェムト基地局を認証取消するように、前記セキュリティゲートウェイに対する認証取消手順を開始するように構成された第２の認証取消ユニットと、
前記登録抹消応答メッセージが無線アクセスサービスの終了又は電力遮断である登録抹消状態を担い、かつ登録抹消の受け入れの表示を担うとき、前記セキュリティゲートウェイと前記認証サーバとが前記フェムト基地局を認証取消するように、前記セキュリティゲートウェイに対する認証取消手順を開始するように構成された第３の認証取消ユニットとを有する、
請求項１２に記載のアクセスゲートウェイ。
【請求項１５】
前記登録抹消要求メッセージは、近隣基地局の第１の識別子又は／及び前記アクセスゲートウェイ以外のアクセスゲートウェイの第２の識別子を有し、前記フェムト基地局によりサービスされている端末に前記第１の識別子に対応する前記近隣基地局にハンドオーバーするよう、又は／及び前記フェムト基地局に前記第２の識別子に対応する他のアクセスゲートウェイに登録するよう命令する、
請求項１２に記載のアクセスゲートウェイ。
【請求項１６】
フェムト基地局をネットワーク退出させるシステムであって、
フェムト基地局とアクセスゲートウェイとを有し、
前記フェムト基地局は、
前記アクセスゲートウェイと登録抹消手順を実行するように構成された第１の登録抹消モジュールと、
セキュリティゲートウェイと認証サーバとにより前記フェムト基地局を認証取消するように構成された第１の認証取消モジュールと、
前記フェムト基地局と、前記第１の認証取消モジュールの前記セキュリティゲートウェイとの間のトンネルを取り壊すように構成されたトンネル取壊モジュールとを有し、
前記アクセスゲートウェイは、
前記フェムト基地局と前記登録抹消手順を実行するように構成された第２の登録抹消モジュールと、
前記セキュリティゲートウェイと前記認証サーバとにより、前記第２の登録抹消モジュール中の前記フェムト基地局を認証取消するように構成された第２の認証取消モジュールとを有する、システム。
【請求項１７】
フェムト基地局を登録抹消するシステムであって、
フェムト基地局とアクセスゲートウェイとを有し、
前記アクセスゲートウェイは前記フェムト基地局に登録抹消要求メッセージであって近隣基地局の第１の識別子又は／及び前記アクセスゲートウェイ以外のアクセスゲートウェイの第２の識別子を担う登録抹消要求メッセージを送信するように構成され、
前記フェムト基地局は、前記アクセスゲートウェイにより送信された前記登録抹消要求メッセージを受信し、前記フェムト基地局自体によりサービスされている端末に、前記第１の識別子に対応する前記近隣基地局にハンドオーバーするように、又は／及び前記第２の識別子に対応する前記他のアクセスゲートウェイに登録するように命令するように構成され、
前記フェムト基地局はさらに登録抹消応答メッセージを前記アクセスゲートウェイに送信するように構成され、前記アクセスゲートウェイはさらに前記フェムト基地局から前記登録抹消応答メッセージを受信するように構成された、システム。
【請求項１８】
フェムト基地局の登録抹消方法であって、
前記フェムト基地局がアクセスゲートウェイからの登録抹消要求メッセージであって近隣基地局の第１の識別子又は／及び前記アクセスゲートウェイ以外のアクセスゲートウェイの第２の識別子を担う登録抹消要求メッセージを受信するステップと、
前記フェムト基地局自体によりサービスされている端末に、前記第１の識別子に対応する近隣基地局にハンドオーバーするように命令する、又は／及び前記第２の識別子に対応する他のアクセスゲートウェイに登録するステップと、
前記アクセスゲートウェイに登録抹消応答メッセージを送信するステップとを有する方法。
【請求項１９】
フェムト基地局の登録抹消方法であって、
アクセスゲートウェイが前記フェムト基地局に登録抹消要求メッセージであって近隣基地局の第１の識別子、又は／及び前記アクセスゲートウェイ以外のアクセスゲートウェイの第２の識別子を担う登録抹消要求メッセージを送信するステップと、
前記フェムト基地局から登録抹消応答メッセージを受信ステップとを有する方法。
【請求項２０】
フェムト基地局であって、
アクセスゲートウェイからの登録抹消要求メッセージであって近隣基地局の第１の識別子又は／及び前記アクセスゲートウェイ以外のアクセスゲートウェイの第２の識別子を担う登録抹消要求メッセージを受信するように構成された第１の登録抹消要求モジュールと、
前記フェムト基地局自体によりサービスされている端末に、前記第１の登録抹消要求モジュールの前記第１の識別子に対応する前記近隣基地局にハンドオーバーする、又は／及び前記第１の登録抹消要求モジュールの前記第２の識別子に対応する前記他のアクセスゲートウェイに前記フェムト基地局を登録するよう命令するように構成されたアクセスハンドオーバーモジュールと、
前記アクセスゲートウェイに登録抹消応答メッセージを送信するように構成された第１の登録抹消応答モジュールとを有する、フェムト基地局。
【請求項２１】
アクセスゲートウェイであって、
近隣基地局の第１の識別子又は／及び前記アクセスゲートウェイ以外のアクセスゲートウェイの第２の識別子を担う登録抹消要求メッセージをフェムト基地局に送信するように構成された第１の登録抹消要求モジュールと、
前記第２の登録抹消要求モジュールの前記基地局から登録抹消応答メッセージを受信するように構成された第２の登録抹消応答モジュールとを有する、アクセスゲートウェイ。
【発明の詳細な説明】
【技術分野】
【０００１】
本発明は、無線通信の技術分野に関し、特に、フェムト基地局をネットワーク退出又は登録抹消する方法、装置、及びシステムに関する。
【背景技術】
【０００２】
本出願は、２０１０年１月９日に中国特許庁に提出した中国特許出願第２０１０１０００３８７４．４号（発明の名称「METHOD,  DEVICE,  AND  SYSTEM  FOR  NETWORK  EXIT  OR  DE-REGISTRATION  OF  FEMTO  BASE  STATION」）の優先権を主張するものである。上記出願はここにその全体を参照援用する。
【０００３】
ＷｉＭＡＸ（Worldwide  Interoperability  for  Microwave  Access,  Worldwide  Interoperability  for  Microwave  Access）は、新しく現れたブロードバンド無線アクセステクノロジーである。データレートが高く、送信距離が長く、ビルディングにより無線信号の浸透フェージング（penetration  fading）が生じるため、信号のブラインドエリアがあり、屋内での通信品質はよくない。ブラインドエリアカバレッジと屋内カバレッジの重要な手段として、ＷｉＭＡＸフェムト基地局としても知られるＷＦＡＰ（WiMAX  Femto  Access  Point）がますます注目を集めている。
【０００４】
現在のところ、産業界は、ＷＦＡＰのネットワークアーキテクチャ、制御、管理、及び動作メカニズムを話し合うＷｉＭＡＸフェムト基地局ワーキンググループを設立し、ＷｉＭＡＸフェムト基地局のネットワーク加入手順の標準を起案したところである。しかし、先行技術は、ＷｉＭＡＸフェムト基地局がどうやってネットワークから退出するかに関するソリューションを与えておらず、そのためネットワークリソースが浪費され、ネットワーク効率が低下する。
【発明の概要】
【０００５】
ネットワークリソースを節約してネットワークの効率性と利用性を改善するため、本発明の実施形態は、フェムト基地局のネットワーク退出又は登録抹消をする方法、デバイス、及びシステムを提供する。技術的解決策は次の通りである：
フェムト基地局のネットワーク退出方法であって、前記フェムト基地局がアクセスゲートウェイと登録抹消手順を実行するステップと、セキュリティゲートウェイと認証サーバとにより前記フェムト基地局を認証取消するステップと、前記フェムト基地局と前記セキュリティゲートウェイとの間のトンネルを取り壊すステップとを有する方法。
【０００６】
フェムト基地局の登録抹消方法であって、フェムト基地局がアクセスゲートウェイからの登録抹消要求メッセージであって近隣基地局の第１の識別子又は／及び前記アクセスゲートウェイ以外のアクセスゲートウェイの第２の識別子を担う登録抹消要求メッセージを受信するステップと、前記フェムト基地局自体によりサービスされている端末に、前記第１の識別子に対応する近隣基地局にハンドオーバーするように命令する、又は／及び前記第２の識別子に対応する他のアクセスゲートウェイに登録するステップと、前記アクセスゲートウェイに登録抹消応答メッセージを送信するステップとを有する方法。
【０００７】
フェムト基地局の登録抹消方法であって、アクセスゲートウェイが前記フェムト基地局に登録抹消要求メッセージであって近隣基地局の第１の識別子、又は／及び前記アクセスゲートウェイ以外のアクセスゲートウェイの第２の識別子を担う登録抹消要求メッセージを送信するステップと、前記フェムト基地局から登録抹消応答メッセージを受信ステップとを有する方法。
【０００８】
フェムト基地局であって、アクセスゲートウェイと登録抹消手順を実行するように構成された登録抹消モジュールと、セキュリティゲートウェイと認証サーバとにより前記フェムト基地局を認証取り消しするように構成された認証取消モジュールと、前記フェムト基地局と、前記第１の認証取消モジュールの前記セキュリティゲートウェイとの間のトンネルを取り壊すように構成されたトンネル取壊モジュールとを有するフェムト基地局。
【０００９】
アクセスゲートウェイであって、フェムト基地局と登録抹消手順を実行するように構成された第２の登録抹消モジュールと、セキュリティゲートウェイと認証サーバとにより、前記第２の登録抹消モジュール中の前記フェムト基地局を認証取消するように構成された第２の認証取消モジュールと、を有するアクセスゲートウェイ。
【００１０】
フェムト基地局であって、アクセスゲートウェイからの登録抹消要求メッセージであって近隣基地局の第１の識別子又は／及び前記アクセスゲートウェイ以外のアクセスゲートウェイの第２の識別子を担う登録抹消要求メッセージを受信するように構成された登録抹消要求モジュールと、前記フェムト基地局自体によりサービスされている端末に、前記第１の登録抹消要求モジュールの前記第１の識別子に対応する前記近隣基地局にハンドオーバーする、又は／及び前記第１の登録抹消要求モジュールの前記第２の識別子に対応する前記他のアクセスゲートウェイに前記フェムト基地局を登録するよう命令するように構成されたアクセスハンドオーバーモジュールと、前記アクセスゲートウェイに登録抹消応答メッセージを送信するように構成された第１の登録抹消応答モジュールとを有する、フェムト基地局。
【００１１】
アクセスゲートウェイであって、近隣基地局の第１の識別子又は／及び前記アクセスゲートウェイ以外のアクセスゲートウェイの第２の識別子を担う登録抹消要求メッセージをフェムト基地局に送信するように構成された第２の登録抹消要求モジュールと、前記第２の登録抹消要求モジュールの前記基地局から登録抹消応答メッセージを受信するように構成された第２の登録抹消応答モジュールとを有する、アクセスゲートウェイ。
【００１２】
フェムト基地局をネットワーク退出させるシステムであって、フェムト基地局とアクセスゲートウェイとを有し、前記フェムト基地局は、前記アクセスゲートウェイと登録抹消手順を実行するように構成された第１の登録抹消モジュールと、セキュリティゲートウェイと認証サーバとにより前記フェムト基地局を認証取消するように構成された第１の認証取消モジュールと、前記フェムト基地局と、前記第１の認証取消モジュールの前記セキュリティゲートウェイとの間のトンネルを取り壊すように構成されたトンネル取壊モジュールとを有し、前記アクセスゲートウェイは、前記フェムト基地局と前記登録抹消手順を実行するように構成された第２の登録抹消モジュールと、前記セキュリティゲートウェイと前記認証サーバとにより、前記第２の登録抹消モジュール中の前記フェムト基地局を認証取り消しするように構成された第２の認証取消モジュールと、を有するシステム。
【００１３】
フェムト基地局を登録抹消するシステムであって、フェムト基地局とアクセスゲートウェイとを有し、前記アクセスゲートウェイは前記フェムト基地局に登録抹消要求メッセージであって近隣基地局の第１の識別子又は／及び前記アクセスゲートウェイ以外のアクセスゲートウェイの第２の識別子を担う登録抹消要求メッセージを送信するように構成され、前記フェムト基地局は、前記アクセスゲートウェイにより送信された前記登録抹消要求メッセージを受信し、前記フェムト基地局自体によりサービスされている端末に、前記第１の識別子に対応する前記近隣基地局にハンドオーバーするように、又は／及び前記第２の識別子に対応する前記他のアクセスゲートウェイに登録するように命令するように構成され、前記フェムト基地局はさらに登録抹消要求メッセージを前記アクセスゲートウェイに送信するように構成され、前記アクセスゲートウェイはさらに前記フェムト基地局から前記登録抹消応答メッセージを受信するように構成された、システム。
【００１４】
本発明の実施形態で提供される技術的解決策は、次の利点を有する：
フェムト基地局がネットワークから退出するとき、ネットワーク中の管理エンティティ、セキュリティゲートウェイ、アクセスゲートウェイ、及び認証サーバなどの関係エンティティを、フェムト基地局がネットワークに加入した時に占有されたネットワークリソースを解放するようトリガーする。このように、必要のないネットワークリソースは適時に解放され、ネットワークリソースが節約でき、ネットワークの効率が高くなり利用が増える。
【００１５】
近くの基地局の第１の識別子又は／及び上記アクセスゲートウェイにより送信された他のアクセスゲートウェイの第２の識別子を用いることにより、フェムト基地局を登録抹消するとき、フェムト基地局は、自機が現在サービスしている端末に、第１の識別子に対応する近くの基地局にハンドオーバーするように命令し、又は／及び第２の識別子に対応する他のアクセスゲートウェイに登録して、通信の中段を防止し、通信の連続性を確保する。
【図面の簡単な説明】
【００１６】
【図１】先行技術によるＷｉＭＡＸネットワークのリファレンスモデルを示す図である。
【図２】本発明の第１の実施形態によるフェムト基地局のネットワーク退出方法を示すフローチャートである。
【図３】本発明の第１の実施形態によるフェムト基地局の登録抹消方法を示すフローチャートである。
【図４】本発明の第１の実施形態によるフェムト基地局の登録抹消方法を示す他のフローチャートである。
【図５】本発明の第２の実施形態によるフェムト基地局のネットワーク退出方法を示すフローチャートである。
【図６】本発明の第２の実施形態によるフェムト基地局のネットワーク退出方法を示す他のフローチャートである。
【図７】本発明の第３の実施形態によるフェムト基地局のネットワーク退出方法を示すフローチャートである。
【図８】本発明の第３の実施形態によるフェムト基地局のネットワーク退出方法を示す他のフローチャートである。
【図９】本発明の第４の実施形態によるフェムト基地局を示す構造図である。
【図１０】本発明の第４の実施形態によるフェムト基地局を示す他の構造図である。
【図１１】本発明の第５の実施形態によるアクセスゲートウェイを示す構造図である。
【図１２】本発明の第５の実施形態によるアクセスゲートウェイを示す他の構造図である。
【図１３】本発明の第６の実施形態によるフェムト基地局を示す構造図である。
【図１４】本発明の第６の実施形態によるアクセスゲートウェイを示す構造図である。
【図１５】本発明の第７の実施形態によるフェムト基地局のネットワーク退出システムを示す図である。
【図１６】本発明の第７の実施形態によるフェムト基地局のネットワーク退出システムを示す他の図である。
【図１７】本発明の第８の実施形態によるフェムト基地局のネットワーク退出システムを示す図である。
【発明を実施するための形態】
【００１７】
本発明の目的、技術的ソリューション、及び優位性を明確にするため、添付した図面を参照して本発明の実施形態を詳細に説明する。
【００１８】
ＷｉＭＡＸネットワークのリファレンスモデルを図１に示したが、これはフェムトＡＳＮ（Femto  Access  Service  Network）、マクロ（macro）ＡＳＮ、ＣＳＮ（Connect  Server  Network）、及びＮＳＰ（Network  Service  Provider）、及びフェムトＮＳＰを含む。フェムトＡＳＮは、ＷＦＡＰ、ＳｅＧＷ（Secure  Gateway）、ＦｅＧＷ（Femto  Gateway）、及びＳＯＮサーバ（Self-organized  Network  server）を含む。ＦｅＧＷはフェムトアクセスゲートウェイとしても知られ、ＷＦＡＰはＳｅＧＷを通してＦｅＧＷに接続されている。マクロＡＳＮはＢＳ（Base  Station）を含む。これはマクロ基地局及びＡＳＮ−ＧＷ（Ｇａｔｅｗａｙ）としても知られている。ＣＳＮ  ＮＳＰは、ＡＡＡサーバ（Authentication  Authorization  Accounting  server）とＨＡ（Home  Agent）とを含む。フェムトＮＳＰは、ＷＦＡＰ  ＡＡＡサーバ、ＷＦＡＰマネージメントサーバ（Management  server）、ブートストラップサーバ（bootstrap  server）を含む。
【００１９】
本発明の実施形態の方法は、ＷｉＭＡＸネットワークに適用可能であるが、これに限定されない。方法をＷｉＭＡＸネットワークに適用する場合、ＷＦＡＰは本発明の実施形態のフェムト基地局に相当し、ＳＯＮサーバは本発明の実施形態の管理エンティティ（management  entity）に相当し、ＳｅＧＷは本発明の実施形態のセキュリティゲートウェイに相当し、ＦｅＧＷは本発明の実施形態のアクセスゲートウェイに相当し、ＷＦＡＰ  ＡＡＡは本発明の認証サーバに相当する。
【００２０】
実施形態１
図２に示したように、この実施形態は、フェムト基地局のネットワーク退出方法を提供する。この方法は次のステップを含む。
【００２１】
Ｓ１１：フェムト基地局がアクセスゲートウェイと登録抹消手順（de-registration  procedure）を実行する。
【００２２】
Ｓ１２：フェムト基地局がセキュリティゲートウェイと認証サーバにより認証取消（de-authenticate）される。
【００２３】
Ｓ１３：フェムト基地局とセキュリティゲートウェイとの間のトンネルを取り壊す。
【００２４】
図３に示したように、この実施形態は、フェムト基地局の登録抹消方法も提供する。フェムト基地局に関して、この方法は次のステップを含む。
【００２５】
Ｓ２１：フェムト基地局がアクセスゲートウェイにより送信された登録抹消要求メッセージを受信する。登録抹消要求メッセージは、近隣基地局の第１の識別子、及び／又は上記アクセスゲートウェイ以外のアクセスゲートウェイの第２の識別子を担う。
【００２６】
Ｓ２２：フェムト基地局自体によりサービスされている端末に、第１の識別子に対応する近隣基地局にハンドオーバーするように命令する、及び／又は第２の識別子に対応する他のアクセスゲートウェイに登録するように命令する。
【００２７】
Ｓ２３：アクセスゲートウェイに登録抹消応答メッセージを送信する。
【００２８】
図４に示したように、アクセスゲートウェイに関して、フェムト基地局を登録抹消する方法は次のステップを含む。
【００２９】
Ｓ３１：アクセスゲートウェイがフェムト基地局に登録抹消要求メッセージを送信する。登録抹消要求メッセージは、近隣基地局の第１の識別子、及び／又は上記アクセスゲートウェイ以外のアクセスゲートウェイの第２の識別子を担う。
【００３０】
Ｓ３２：フェムト基地局から登録抹消応答メッセージを受信する。
【００３１】
この実施形態によるフェムト基地局のネットワーク退出方法では、ネットワーク中の管理エンティティ、セキュリティゲートウェイ、アクセスゲートウェイ、及び認証サーバなどの関係エンティティは、フェムト基地局がネットワークに加入した時に占有されたネットワークリソースを解放するようトリガーされる。このように、必要のないネットワークリソースは適時に解放され、ネットワークリソースが節約でき、ネットワークの効率が高くなり利用が増える。
【００３２】
この実施形態によるフェムト基地局の登録抹消方法によると、近隣基地局の第１の識別子又は／及び上記アクセスゲートウェイにより送信された他のアクセスゲートウェイの第２の識別子を用いることにより、フェムト基地局は、自機が現在サービスしている端末に、第１の識別子に対応する近隣基地局にハンドオーバーするように命令し、又は／及び第２の識別子に対応する他のアクセスゲートウェイに登録して、通信の中段を防止し、通信の連続性を確保する。
【００３３】
実施形態２
図５に示したように、この実施形態は、フェムト基地局が退出手順を開始する、フェムト基地局のネットワーク退出方法を提供する。この方法はステップ１０１−１０５を含む。
【００３４】
１０１：フェムト基地局は、ネットワークから退出する前に、端末にアクセスサービスを提供している場合、そのフェムト基地局以外の近隣基地局にハンドオーバーするように、端末に命令する。
【００３５】
具体的に、この命令する方法は次のステップを含む。
【００３６】
１０１ａ：フェムト基地局が、現在サービスしている端末にハンドオーバー要求メッセージを送信する。このハンドオーバー要求メッセージは他の近隣基地局に関する情報を含む。
【００３７】
他の近隣基地局は、フェムト基地局がそれによりサービスされている端末に示唆するハンドオーバー目標の基地局である。このような近隣基地局があり、それはフェムト基地局又はマクロ基地局であるかも知れない。
【００３８】
１０１ｂ：端末は、ハンドオーバー要求メッセージを受信すると、そのハンドオーバー要求メッセージに担われた他の近隣基地局に関する情報と、端末自体により取得された近隣基地局に関する情報とにより、ハンドオーバー目標基地局を決定し、その目標基地局へのハンドオーバーを開始する。
【００３９】
端末により取得された近隣基地局に関する情報は、スキャンされた信号強度、タリフ、現在の基地局のオペレータとのローミングアグリーメントを含むがこれに限定されない。
【００４０】
フェムト基地局は、端末に他の近隣基地局にハンドオーバーするように命令するハンドオーバー要求メッセージを送信した後、次の退出手順によりネットワークから退出する。
【００４１】
１０２：フェムト基地局がアクセスゲートウェイと、次のステップを含む登録抹消手順（de-registration  procedure）を実行する。
【００４２】
１０２ａ：フェムト基地局がアクセスゲートウェイに登録抹消要求メッセージを送信する。
【００４３】
登録抹消要求メッセージは、フェムト基地局の識別子情報を担う。これは第３の識別子として説明する。
【００４４】
１０２ｂ：アクセスゲートウェイがフェムト基地局に登録抹消応答メッセージ（De-Register  Response  message）を返す。このメッセージは登録抹消を受け入れるか拒絶するかの表示を担う。
【００４５】
具体的に、アクセスゲートウェイは、第３の識別子に対応するフェムト基地局に登録抹消応答メッセージを返す。
【００４６】
１０３：フェムト基地局は、アクセスゲートウェイから、登録抹消が受け入れられたことを示す登録抹消応答メッセージを受信すると、端末に対するアクセスサービスの提供を停止し、そのエアインタフェースをディスエーブルし、エアインタフェースをディスエーブルことを示す表示メッセージであるディスエーブルＲＦインディケーションを管理エンティティに送信する。
【００４７】
さらに、エアインタフェースをディスエーブルすることを示すインディケーションメッセージは、アクセスゲートウェイにより管理エンティティに送信してもよい。具体的に、アクセスゲートウェイは、フェムト基地局の登録抹消要求を受け入れた場合、エアインタフェースをディスエーブルすることを示すインディケーションメッセージを管理エンティティに送信する。
【００４８】
エアインタフェースをディスエーブルすることを示すインディケーションメッセージは、フェムト基地局の識別子情報、すなわち第３の識別子を担う。管理エンティティは、エアインタフェースをディスエーブルするインディケーションメッセージをフェムト基地局又はアクセスゲートウェイから受信すると、第３の識別子に対応するフェムト基地局により使用される無線スペクトルリソースを引き上げる。
【００４９】
１０４：フェムト基地局がセキュリティゲートウェイと認証サーバにより認証取消（de-authenticate）される。
【００５０】
具体的には、フェムト基地局がセキュリティゲートウェイの認証器（authenticator）と認証サーバにより認証取消（de-authenticate）される。前記方法は次のステップを含む。
【００５１】
１０４ａ：フェムト基地局がセキュリティゲートウェイに認証取消要求メッセージ（De-Authentication  Request  message）を送信する。
【００５２】
認証取消要求メッセージは、フェムト基地局の識別子情報、すなわち第３の識別子を担う。
【００５３】
１０４ｂ：セキュリティゲートウェイと認証サーバは、そのフェムト基地局に関する認証取消手順を実行する。
【００５４】
特に、認証取消手順は、セキュリティゲートウェイのフェムト認証器と、フェムト基地局の認証サーバとの間のメッセージのやりとりにより行われる。これは、従来技術において、端末を認証取り消しする、ＷｉＭＡＸ端末認証器と端末認証サーバとの間のメッセージ交換手順と同様であり、ここでは説明しない。
【００５５】
１０４ｃ：認証サーバとの認証取消手順が完了すると、セキュリティゲートウェイはフェムト基地局に認証取消（De-Authentication）応答メッセージを送信する。
【００５６】
認証取消応答メッセージは、例えば認証取消成功又は認証取消失敗などの認証取消動作の結果を担う。
【００５７】
１０５：認証取消成功の応答メッセージを受信すると、フェムト基地局はセキュリティゲートウェイとのトンネルを取り壊す。
【００５８】
具体的に、このトンエンルはＩＰＳｅｃ（Internet  Protocol  Security）セキュリティトンネルである。
【００５９】
ステップ１０１−１０５の後、フェムト基地局のネットワーク退出手順は完了する。
【００６０】
さらに、フェムト基地局のネットワーク退出プロセスにおける認証取消手順は、セキュリティゲートウェイと認証サーバを用いて、アクセスゲートウェイにより実行されてもよい。図６に示したように、この手順はステップ１０１′−１０５′を含む。
【００６１】
１０１′：このステップはステップ１０１と同じであり、ここでは説明しない。
【００６２】
１０２′：フェムト基地局がアクセスゲートウェイと、次のステップを含む登録抹消手順（de-registration  procedure）を実行する。
【００６３】
１０２ａ′：フェムト基地局がアクセスゲートウェイに登録抹消要求メッセージを送信する。このメッセージは、登録抹消理由と、フェムト基地局の識別子情報、すなわち第３の識別子とを担っている。
【００６４】
登録抹消理由には、無線アクセスサービスの終了と、電力遮断とを含むが、これに限定されない。
【００６５】
１０２ｂ′：アクセスゲートウェイがフェムト基地局に登録抹消応答メッセージ（De-Register  Response  message）を返す。このメッセージは登録抹消を受け入れるか拒絶するかの表示を担う。
【００６６】
１０３′：このステップはステップ１０３と同じであり、ここでは説明しない。
【００６７】
１０４′：アクセスゲートウェイが、フェムト基地局により送信された登録抹消理由に応じて、セキュリティゲートウェイと認証サーバとにより、フェムト基地局を認証取り消しする手順を実行する。この手順は次のステップを含む。
【００６８】
１０４ａ′：登録抹消理由が無線アクセスの終了又は電力遮断である場合、アクセスゲートウェイは、セキュリティゲートウェイに認証取消要求メッセージを送信する。
【００６９】
認証取消要求メッセージは、フェムト基地局の識別子情報、すなわち第３の識別子を担う。
【００７０】
１０４ｂ′：このステップはステップ１０４ｂと同じであり、ここでは説明しない。
【００７１】
１０４ｃ′：認証サーバとの認証取消手順が完了すると、セキュリティゲートウェイはアクセスゲートウェイに認証取消（De-Authentication）応答メッセージを送信する。
【００７２】
認証取消応答メッセージは、例えば認証取消成功又は認証取消失敗などの認証取消動作の結果を担う。
【００７３】
１０５′：セキュリティゲートウェイは、認証取消が成功したことを確認すると、フェムト基地局とのトンネルを取り壊す。
【００７４】
この実施形態によるフェムト基地局のネットワーク退出方法では、フェムト基地局がネットワークから退出すると、ネットワーク中の管理エンティティ、セキュリティゲートウェイ、アクセスゲートウェイ、及び認証サーバなどの関係エンティティは、フェムト基地局がネットワークに加入した時に占有されたネットワークリソースを解放するようトリガーされる。このように、必要のないネットワークリソースは適時に解放され、ネットワークリソースが節約でき、ネットワークの効率が高くなり利用が増える。
【００７５】
実施形態３
図７に示したように、この実施形態は、アクセスゲートウェイが退出手順を開始する、フェムト基地局のネットワーク退出方法を提供する。この方法はステップ２０１−２０４を含む。
【００７６】
２０１：フェムト基地局がアクセスゲートウェイと、次のステップを含む登録抹消手順（de-registration  procedure）を実行する。
【００７７】
２０１ａ：アクセスゲートウェイがフェムト基地局に登録抹消要求メッセージを送信する。このメッセージは、近隣基地局の識別子情報、及び／又は上記アクセスゲートウェイ以外のアクセスゲートウェイの識別子情報を担う。
【００７８】
近隣基地局は、アクセスゲートウェイがフェムト基地局によりサービスされている端末に示唆するハンドオーバー目標基地局である。このような近隣基地局があり、それは近隣マクロ基地局又は近隣フェムト基地局であるかも知れない。近隣基地局の識別子情報を、第１の識別子と定義する。
【００７９】
他のアクセスゲートウェイは、アクセスゲートウェイがフェムト基地局に示唆するハンドオーバー目標ゲートウェイである。かかるアクセスゲートウェイが１つまたは複数あるかも知れない。アクセスゲートウェイ以外のアクセスゲートウェイの識別子情報を、第２の識別子と定義する。第２の識別子は、具体的には、アクセスゲートウェイのＭＡＣアドレス又はＩＰアドレスであり得る。
【００８０】
また、アクセスゲートウェイは、オーバーロードや電力遮断やサービス品質などの理由により登録抹消を開始する。この理由は、本実施形態が限定するものではない。
【００８１】
２０１ｂ：フェムト基地局が登録抹消要求メッセージを受信した後、２つの処理方法がある：
第１の方法は、フェムト基地局が他のアクセスゲートウェイと登録抹消するものである。
【００８２】
具体的に、フェムト基地局は、新しいアクセスゲートウェイを再選択して、登録抹消要求メッセージ中の他のアクセスゲートウェイの識別子情報により、登録を実行する。フェムト基地局が新しいアクセスゲートウェイに登録要求メッセージを送信する場合、その登録要求メッセージは元のアクセスゲートウェイ（source  access  gateway）の識別子情報を担う。また、フェムト基地局は、登録抹消要求メッセージにおいてアクセスするように示唆された他のアクセスゲートウェイ以外のアクセスゲートウェイを選択してもよい。
【００８３】
この処理方法では、フェムト基地局は、端末にアクセスサービスの提供を停止する必要はないが、現在のアクセスゲートウェイに登録抹消応答メッセージを送信する前後に、登録を行う新しいアクセスゲートウェイを再選択しなければならない。
【００８４】
第２の処理方法は、フェムト基地局が自機のエアインタフェースをディスエーブルして、サービスしている端末を近隣基地局に仕向けるものである。
【００８５】
具体的に、フェムト基地局は、登録抹消要求メッセージ中の近隣基地局の識別子情報により、現在サービスしている端末にハンドオーバー要求メッセージを送信することにより、その端末に利用可能な近隣基地局にハンドオーバーするように命令する。また、フェムト基地局は、現在サービスしている端末に、登録抹消要求メッセージで示唆された近隣基地局以外の基地局にハンドオーバーするように命令できる。
【００８６】
この処理方法では、フェムト基地局が利用できる他のアクセスゲートウェイは無く、又は第１の処理方法では、フェムト基地局は他のアクセスゲートウェイとの登録を失敗することがある。
【００８７】
２０１ｃ：フェムト基地局がアクセスゲートウェイに登録抹消応答メッセージ（De-Register  Response  message）を返す。このメッセージは登録抹消を受け入れるか拒絶するかの表示を担う。
【００８８】
第２の処理方法を合わせる場合、次のステップを実行する。
【００８９】
２０２：フェムト基地局は、登録抹消が受け入れられたことを示す登録抹消応答メッセージを返すと、端末に対するアクセスサービスの提供を停止し、そのエアインタフェースをディスエーブルし、エアインタフェースをディスエーブルすることを表示する表示メッセージを管理エンティティに送信する。
【００９０】
さらに、エアインタフェースをディスエーブルすることを示すインディケーションメッセージは、アクセスゲートウェイにより管理エンティティに送信してもよい。具体的に、アクセスゲートウェイは、登録抹消要求を受け入れたことを示す登録抹消応答メッセージを受信した場合、エアインタフェースをディスエーブルすることを示すインディケーションメッセージを管理エンティティに送信する。
【００９１】
エアインタフェースをディスエーブルすることを示すインディケーションメッセージは、フェムト基地局の識別子情報、すなわち第３の識別子を担う。管理エンティティは、エアインタフェースをディスエーブルするインディケーションメッセージをフェムト基地局又はアクセスゲートウェイから受信すると、第３の識別子に対応するフェムト基地局により使用される無線スペクトルリソースを引き上げる。
【００９２】
２０３：フェムト基地局がセキュリティゲートウェイと認証サーバにより認証取消（de-authenticate）される。
【００９３】
具体的に、ステップ２０３はステップ１０４と同じであり、ステップ２０３はステップ２０３ａ、２０３ｂ、及び２０３ｃを含み、これらはそれぞれステップ１０４ａ、１０４ｂ、及び１０４ｃと同じであり、ここでは説明しない。
【００９４】
２０４：認証抹消成功の応答メッセージを受信すると、フェムト基地局はセキュリティゲートウェイとのトンネルを取り壊す。
【００９５】
特に、ステップ２０４はステップ１０５と同じであり、ここでは説明しない。
【００９６】
ステップ２０１−２０４の後、フェムト基地局のネットワーク退出手順は完了する。
【００９７】
さらに、フェムト基地局のネットワーク退出プロセスにおける認証抹消手順は、セキュリティゲートウェイと認証サーバを用いて、アクセスゲートウェイにより実行されてもよい。図８に示したように、この手順はステップ２０１′−２０４′を含む。
【００９８】
２０１′：フェムト基地局がアクセスゲートウェイと、次のステップを含む登録取消手順（de-registration  procedure）を実行する。
【００９９】
２０１ａ′：このステップはステップ２０１ａと同じであり、ここでは説明しない。
【０１００】
２０１ｂ′：このステップはステップ２０１ｂと同じであり、ここでは説明しない。
【０１０１】
２０１ｃ′：フェムト基地局がアクセスゲートウェイに登録抹消応答メッセージ（De-Register  Response  message）を返す。このメッセージは登録抹消を受け入れるか拒絶するかの表示を担う。
【０１０２】
さらに、第２の処理方法を合わせる場合、応答メッセージは、無線アクセスの停止と電力遮断を含むがこれらに限定されない登録抹消状態を担う必要がある。
【０１０３】
２０２′：このステップはステップ２０２と同じであり、ここでは説明しない。
【０１０４】
２０３′：アクセスゲートウェイが、フェムト基地局により送信された登録抹消状態に応じて、セキュリティゲートウェイと認証サーバとにより、フェムト基地局を認証抹消する手順を実行する。この手順は次のステップを含む：
２０３ａ′：登録抹消状態が無線アクセスの終了又は電力遮断である場合、アクセスゲートウェイは、セキュリティゲートウェイに認証抹消要求メッセージを送信する。
【０１０５】
認証抹消要求メッセージは、フェムト基地局の識別子情報、すなわち第３の識別子を担う。
【０１０６】
２０３ｂ′：このステップはステップ１０４ｂ′と同じであり、ここでは説明しない。
【０１０７】
２０３ｃ′：このステップはステップ１０４ｃ′と同じであり、ここでは説明しない。
【０１０８】
２０４′：セキュリティゲートウェイは、認証抹消が成功したことを確認すると、フェムト基地局とのトンネルを取り壊す。
【０１０９】
この実施形態によるフェムト基地局のネットワーク退出方法では、フェムト基地局がネットワークから退出すると、ネットワーク中の管理エンティティ、セキュリティゲートウェイ、アクセスゲートウェイ、及び認証サーバなどの関係エンティティは、フェムト基地局がネットワークに加入した時に占有されたネットワークリソースを解放するようトリガーされる。このように、必要のないネットワークリソースは適時に解放され、ネットワークリソースが節約でき、ネットワークの効率が高くなり利用が増える。  フェムト基地局の登録抹消方法では、近くの基地局の第１の識別子又は／及び上記アクセスゲートウェイにより送信された他のアクセスゲートウェイの第２の識別子を用いることにより、フェムト基地局は、自機が現在サービスしている端末に、第１の識別子に対応する近くの基地局にハンドオーバーするように命令し、又は／及び第２の識別子に対応する他のアクセスゲートウェイに登録して、通信の中段を防止し、通信の連続性を確保する。
【０１１０】
実施形態４
図９に示したように、この実施形態はフェムト基地局を提供する。該基地局は：アクセスゲートウェイと登録抹消手順を実行するように構成された第１の登録抹消モジュール３０１と；セキュリティゲートウェイと認証サーバとにより前記フェムト基地局を認証取消するように構成された第１の認証取消モジュール３０２と；前記フェムト基地局と、前記第１の認証取消モジュール３０２の前記セキュリティゲートウェイとの間のトンネルを取り壊すように構成されたトンネル取壊モジュール３０３と；を含む。
【０１１１】
図１０に示したように、本発明の一実施形態では、第１の登録抹消モジュール３０１は：前記アクセスゲートウェイに登録抹消要求メッセージを送信し、前記アクセスゲートウェイにより送信された登録抹消応答メッセージを受信するように構成された第１の登録抹消ユニット３０１ａ；または前記アクセスゲートウェイにより送信された登録抹消要求メッセージを受信し、前記アクセスゲートウェイに登録抹消応答メッセージを送信するように構成された第２の登録抹消ユニット３０１ｂ含む。第１の認証取消モジュール３０２は、登録抹消応答メッセージが登録抹消の受け入れの表示を担う時、前記セキュリティゲートウェイと前記認証サーバとが前記フェムト基地局を認証取消するように、前記セキュリティゲートウェイに対して認証取消手順を開始するように構成された第１の認証取消ユニット３０２ａを含む。
【０１１２】
他の一実施形態では、フェムト基地局は、  前記登録抹消要求メッセージが近隣基地局の第１の識別子又は／及び前記アクセスゲートウェイ以外のアクセスゲートウェイの第２の識別子を担うとき、前記フェムト基地局自体によりサービスされている端末に前記第１の識別子に対応する前記近隣基地局にハンドオーバーするよう、又は／及び前記フェムト基地局に前記第２の識別子に対応する他のアクセスゲートウェイに登録するよう命令するように構成されたアクセスハンドオーバーモジュール３０４をさらに含む。
【０１１３】
フェムト基地局はさらに、前記フェムト基地局が前記セキュリティゲートウェイと前記認証サーバとにより認証取消される前に、前記フェムト基地局のエアインタフェースをディスエーブルするインディケーションメッセージを管理エンティティに送信するように構成された第１のエアインタフェースをディスエーブリングモジュール３０５を有し、前記インディケーションメッセージは、前記インディケーションメッセージを受信した後に前記フェムト基地局により使われる無線スペクトルリソースを前記管理エンティティが引き上げるために使われる。
【０１１４】
この実施形態によるフェムト基地局は、ネットワークから退出するとき、ネットワーク中の管理エンティティ、セキュリティゲートウェイ、アクセスゲートウェイ、及び認証サーバなどの関係エンティティを、フェムト基地局がネットワークに加入した時に占有されたネットワークリソースを解放するようトリガーする。このように、必要のないネットワークリソースは適時に解放され、ネットワークリソースが節約でき、ネットワークの効率が高くなり利用が増える。フェムト基地局の登録抹消方法では、近くの基地局の第１の識別子又は／及び上記アクセスゲートウェイにより送信された他のアクセスゲートウェイの第２の識別子を用いることにより、フェムト基地局は、自機が現在サービスしている端末に、第１の識別子に対応する近くの基地局にハンドオーバーするように命令し、又は／及び第２の識別子に対応する他のアクセスゲートウェイに登録して、通信の中段を防止し、通信の連続性を確保する。
【０１１５】
実施形態５
図１１に示したように、この実施形態はアクセスゲートウェイを提供する。該アクセスゲートウェイは、フェムト基地局と登録抹消手順を実行するように構成された第２の登録抹消モジュール４０１と、セキュリティゲートウェイと認証サーバとにより、前記第２の登録抹消モジュール４０１中の前記フェムト基地局を認証取り消しするように構成された第２の認証取消モジュール４０２とを含む。
【０１１６】
図１２に示したように、第２の登録抹消モジュール４０１は、前記フェムト基地局からの登録抹消要求メッセージを受信し、前記フェムト基地局に登録抹消応答メッセージを送信するように構成された第３の登録抹消ユニット４０１ａと、前記フェムト基地局に登録抹消要求メッセージを送信し、前記フェムト基地局からの登録抹消応答メッセージを受信するように構成された第４の登録抹消ユニット４０１ｂと、を含む。
【０１１７】
第２の認証取消モジュール４０２は、前記登録抹消要求メッセージが無線アクセスサービスの終了又は電力遮断である登録抹消理由を担い、かつ前記登録抹消応答メッセージが登録抹消の受け入れの表示を担うとき、前記セキュリティゲートウェイと前記認証サーバとが前記フェムト基地局を認証取消するように、前記セキュリティゲートウェイに対する認証取消手順を開始するように構成された第２の認証取消ユニット４０２ａと、前記登録抹消応答メッセージが無線アクセスサービスの終了又は電力遮断である登録抹消状態を担い、かつ登録抹消の受け入れの表示を担うとき、前記セキュリティゲートウェイと前記認証サーバとが前記フェムト基地局を認証取消するように、前記セキュリティゲートウェイに対する認証取消手順を開始するように構成された第３の認証取消ユニット４０２ｂと、を含む。
【０１１８】
前記登録抹消要求メッセージは、近隣基地局の第１の識別子又は／及び前記アクセスゲートウェイ以外のアクセスゲートウェイの第２の識別子を担い、前記フェムト基地局によりサービスされている端末に前記第１の識別子に対応する前記近隣基地局にハンドオーバーするよう、又は／及び前記フェムト基地局に前記第２の識別子に対応する他のアクセスゲートウェイに登録するよう命令する。
【０１１９】
アクセスゲートウェイは、さらに、前記フェムト基地局が前記セキュリティゲートウェイと前記認証サーバとにより認証取消される前に、前記フェムト基地局のエアインタフェースをディスエーブルするインディケーションメッセージを管理エンティティに送信するように構成された第２のエアインタフェースディスエーブリングモジュール４０３をさらに有し、前記インディケーションメッセージは、受信後に、前記管理エンティティが前記フェムト基地局により使われる無線スペクトルリソースを引き上げるのに使われる。
【０１２０】
この実施形態によるアクセスゲートウェイは、フェムト基地局がネットワークから退出するとき、ネットワーク中の管理エンティティ、セキュリティゲートウェイ、アクセスゲートウェイ、及び認証サーバなどの関係エンティティを、フェムト基地局がネットワークに加入した時に占有されたネットワークリソースを解放するようトリガーする。このように、必要のないネットワークリソースは適時に解放され、ネットワークリソースが節約でき、ネットワークの効率が高くなり利用が増える。  フェムト基地局の登録抹消方法では、近くの基地局の第１の識別子又は／及び上記アクセスゲートウェイにより送信された他のアクセスゲートウェイの第２の識別子を用いることにより、フェムト基地局は、自機が現在サービスしている端末に、第１の識別子に対応する近くの基地局にハンドオーバーするように命令し、又は／及び第２の識別子に対応する他のアクセスゲートウェイに登録して、通信の中段を防止し、通信の連続性を確保する。
【０１２１】
実施形態６
図１３に示したように、この実施形態はフェムト基地局を提供する。該基地局は、アクセスゲートウェイからの登録抹消要求メッセージであって近隣基地局の第１の識別子又は／及び前記アクセスゲートウェイ以外のアクセスゲートウェイの第２の識別子を担う登録抹消要求メッセージを受信するように構成された第１の登録抹消要求モジュール５０１と、前記フェムト基地局自体によりサービスされている端末に、前記第１の登録抹消要求モジュール５０１の前記第１の識別子に対応する前記近隣基地局にハンドオーバーする、又は／及び前記第１の登録抹消要求モジュール５０１の前記第２の識別子に対応する前記他のアクセスゲートウェイに前記フェムト基地局を登録するよう命令するように構成されたアクセスハンドオーバーモジュール５０２と、前記アクセスゲートウェイに登録抹消応答メッセージを送信するように構成された第１の登録抹消応答モジュール５０３とを含む。
【０１２２】
したがって、図１４に示したように、この実施形態はアクセスゲートウェイを提供する。該アクセスゲートウェイは、近隣基地局の第１の識別子又は／及び前記アクセスゲートウェイ以外のアクセスゲートウェイの第２の識別子を担う登録抹消要求メッセージをフェムト基地局に送信するように構成された第１の登録抹消要求モジュール６０１と、
前記第２の登録抹消要求モジュール６０１の前記基地局から登録抹消応答メッセージを受信するように構成された第２の登録抹消応答モジュール６０２とを含む。
【０１２３】
実施形態に設けられた近隣基地局の第１の識別子又は／及び上記アクセスゲートウェイにより送信された他のアクセスゲートウェイの第２の識別子を用いることにより、フェムト基地局は、自機が現在サービスしている端末に、第１の識別子に対応する近隣基地局にハンドオーバーするように命令し、又は／及び第２の識別子に対応する他のアクセスゲートウェイに登録するように命令して、通信の中段を防止し、通信の連続性を確保する。
【０１２４】
実施形態７
図１５に示したように、この実施形態は、フェムト基地局７０１とアクセスゲートウェイ７０２とを含む、フェムト基地局がネットワーク退出するシステムを提供する。
【０１２５】
前記フェムト基地局は、アクセスゲートウェイと登録抹消手順を実行するように構成された第１の登録抹消モジュール３０１と、セキュリティゲートウェイと認証サーバとにより前記フェムト基地局を認証取消するように構成された第１の認証取消モジュール３０２と、前記フェムト基地局と、前記第１の認証取消モジュール３０２の前記セキュリティゲートウェイとの間のトンネルを取り壊すように構成されたトンネル取壊モジュール３０３とを含む。
【０１２６】
前記アクセスゲートウェイは、フェムト基地局と登録抹消手順を実行するように構成された第２の登録抹消モジュール４０１と、セキュリティゲートウェイと認証サーバとにより、前記第２の登録抹消モジュール４０１中の前記フェムト基地局を認証取消するように構成された第２の認証取消モジュール４０２とを含む。
【０１２７】
図１６に示したように、第１の登録抹消モジュール３０１は、第１の登録抹消ユニット３０１ａ又は第２の登録抹消ユニット３０１ｂを含む。
【０１２８】
第１の登録抹消ユニット３０１ａは、前記アクセスゲートウェイ７０２に登録抹消要求メッセージを送信し、前記アクセスゲートウェイ７０２により送信された登録抹消応答メッセージを受信するように構成される。
【０１２９】
第２の登録抹消ユニット３０１ｂは、前記アクセスゲートウェイ７０２により送信された登録抹消要求メッセージを受信し、前記アクセスゲートウェイ７０２に登録抹消応答メッセージを送信するように構成される。
【０１３０】
第１の認証取消モジュール３０２は、前記登録抹消応答メッセージが登録抹消の受け入れの表示を担う時、前記セキュリティゲートウェイと前記認証サーバとが前記フェムト基地局７０１を認証取消するように、前記フェムト基地局７０１が前記セキュリティゲートウェイに対して認証取消手順を開始するように構成された第１の認証取消ユニット３０２を含む。
【０１３１】
フェムト基地局７０１は、第２の登録抹消ユニット３０１ｂの前記登録抹消要求メッセージが近隣基地局の第１の識別子又は／及び前記アクセスゲートウェイ７０２以外のアクセスゲートウェイ７０２の第２の識別子を担うとき、前記フェムト基地局によりサービスされている端末に前記第１の識別子に対応する前記近隣基地局にハンドオーバーするよう、又は／及び前記フェムト基地局７０１を前記第２の識別子に対応する他のアクセスゲートウェイに登録するよう命令するように構成されたアクセスハンドオーバーモジュール３０４をさらに含む。
【０１３２】
フェムト基地局７０１は、さらに、前記フェムト基地局７０１が前記セキュリティゲートウェイと前記認証サーバとにより認証取消される前に、前記フェムト基地局のエアインタフェースをディスエーブルするインディケーションメッセージを管理エンティティに送信するように構成された第１のエアインタフェースをディスエーブリングモジュール３０５を含む。前記インディケーションメッセージは、前記インディケーションメッセージを受信した後に前記フェムト基地局により使われる無線スペクトルリソースを前記管理エンティティが引き上げるために使われる。
【０１３３】
第２の認証取消モジュール４０１は、前記フェムト基地局７０１からの登録抹消要求メッセージを受信し、前記フェムト基地局７０１に登録抹消応答メッセージを送信するように構成された第３の登録抹消ユニット４０１ａと、前記フェムト基地局７０１に登録抹消要求メッセージを送信し、前記フェムト基地局７０１からの登録抹消応答メッセージを受信するように構成された第４の登録抹消ユニット４０１ｂと、を含む。
【０１３４】
第２の認証取消モジュール４０２は、第３の登録抹消ユニット４０１ａの前記登録抹消要求メッセージが無線アクセスサービスの終了又は電力遮断である登録抹消理由を担い、かつ第３の登録抹消ユニット４０１ａの前記登録抹消応答メッセージが登録抹消の受け入れの表示を担うとき、前記セキュリティゲートウェイと前記認証サーバとが前記フェムト基地局７０１を認証取消するように、前記セキュリティゲートウェイに対する認証取消手順を開始するように構成された第２の認証取消ユニット４０２ａ、又は第４の登録抹消ユニット４０１ｂの前記登録抹消応答メッセージが無線アクセスサービスの終了又は電力遮断である登録抹消状態を担い、かつ登録抹消の受け入れの表示を担うとき、前記セキュリティゲートウェイと前記認証サーバとが前記フェムト基地局７０１を認証取消するように、前記セキュリティゲートウェイに対する認証取消手順を開始するように構成された第３の認証取消ユニット４０２ｂ、を含む。
【０１３５】
アクセスゲートウェイ７０２は、前記フェムト基地局７０１が前記セキュリティゲートウェイと前記認証サーバとにより認証取消される前に、エアインタフェースをディスエーブルするインディケーションメッセージを管理エンティティに送信するように構成された第２のエアインタフェースディスエーブリングモジュール４０３を含む。前記インディケーションメッセージは、その受信後に、前記管理エンティティが前記フェムト基地局により使われる無線スペクトルリソースを引き上げる（withdraw）のに使われる。
【０１３６】
この実施形態によるシステムは、フェムト基地局がネットワークから退出するとき、ネットワーク中の管理エンティティ、セキュリティゲートウェイ、アクセスゲートウェイ、及び認証サーバなどの関係エンティティを、フェムト基地局がネットワークに加入した時に占有されたネットワークリソースを解放するようトリガーする。このように、必要のないネットワークリソースは適時に解放され、ネットワークリソースが節約でき、ネットワークの効率が高くなり利用が増える。フェムト基地局の登録抹消手順では、近隣基地局の第１の識別子又は／及び他のアクセスゲートウェイの第２の識別子を用いることにより、フェムト基地局は、自機が現在サービスしている端末に、第１の識別子に対応する近くの基地局にハンドオーバーするように命令し、又は／及び第２の識別子に対応する他のアクセスゲートウェイに登録して、通信の中段を防止し、通信の連続性を確保する。
【０１３７】
実施形態８
図１７に示したように、この実施形態は、フェムト基地局８０１とアクセスゲートウェイ８０２とを含む、フェムト基地局が登録抹消するシステムを提供する。
【０１３８】
前記アクセスゲートウェイ８０２は前記フェムト基地局８０１に登録抹消要求メッセージであって近隣基地局の第１の識別子又は／及び前記アクセスゲートウェイ８０２以外のアクセスゲートウェイ８０２の第２の識別子を担う登録抹消要求メッセージを送信するように構成される。
【０１３９】
前記フェムト基地局８０１は、前記アクセスゲートウェイ８０２により送信された前記登録抹消要求メッセージを受信し、前記フェムト基地局８０１自体によりサービスされている端末に、前記第１の識別子に対応する前記近隣基地局にハンドオーバーするように、又は／及び前記第２の識別子に対応する前記他のアクセスゲートウェイ８０２に登録するように命令するように構成される。
【０１４０】
前記フェムト基地局８０１はさらに登録抹消要求メッセージを前記アクセスゲートウェイ８０２に送信するように構成され、前記アクセスゲートウェイ８０２はさらに前記フェムト基地局８０１から前記登録抹消応答メッセージを受信するように構成される。
【０１４１】
本実施形態のシステムは、近隣基地局の第１の識別子又は／及び他のアクセスゲートウェイの第２の識別子を用いることにより、現在サービスしている端末に、第１の識別子に対応する近隣基地局にハンドオーバーするように命令し、又は／及び第２の識別子に対応する他のアクセスゲートウェイに登録するように命令して、通信の中段を防止し、通信の連続性を確保する。
【０１４２】
本発明の上記の実施形態で提供される技術的解決策のコンテンツの全部又は一部は、ソフトウェアプログラミングにより実施できる。ソフトウェアプログラムは、コンピュータのハードディスク、ＣＤ−ＲＯＭ、フロッピーディスク（登録商標）又はフラッシュメモリなどのコンピュータ読み取り可能記憶媒体に記憶できる。
【０１４３】
本発明を実施形態により詳細に説明したが、本発明はかかる実施形態に限定されない。本発明の精神と原理内に入る修正、置き換え、改良は本発明の範囲に含まれる。
【図１】
0005523583.tif 000002
【図２】
0005523583.tif 000003
【図３】
0005523583.tif 000004
【図４】
0005523583.tif 000005
【図５】
0005523583.tif 000006
【図６】
0005523583.tif 000007
【図７】
0005523583.tif 000008
【図８】
0005523583.tif 000009
【図９】
0005523583.tif 000010
【図１０】
0005523583.tif 000011
【図１１】
0005523583.tif 000012
【図１２】
0005523583.tif 000013
【図１３】
0005523583.tif 000014
【図１４】
0005523583.tif 000015
【図１５】
0005523583.tif 000016
【図１６】
0005523583.tif 000017
【図１７】
0005523583.tif 000018